(57)【要約】【課題】  ２台のプリンタにて印刷を行うタンデムプリンタシステムにおいて、片面印刷を必ず１台目プリンタで行うと用紙が無駄になる場合がある。また、必ず２台目プリンタで印刷すると既に印刷した用紙が無駄になる場合がある。【解決手段】  片面印刷を行う場合、印刷した用紙が１台目プリンタの転写終了位置にある場合、１台目プリンタから印刷を行い、印刷した用紙が２台目プリンタの転写終了位置にある場合、または印刷した用紙が転写終了位置に無い場合には、２台目プリンタから印刷を行うことで用紙の無駄を抑止する。【選択図】  図１
2010000674.tif 000002
【特許請求の範囲】
【請求項１】
連続紙に印刷する２台のプリンタを用紙の搬送方向に縦列配置して印刷を行うタンデム構成のプリンタシステムにおいて、
印刷を終了した位置を検知する手段を設け、
片面印刷の場合に、印刷した用紙が１台目プリンタの転写終了位置にある場合は１台目プリンタから印刷を行い、印刷した用紙が２台目プリンタの転写終了位置にある場合、または印刷した用紙が転写終了位置に無い場合には、２台目プリンタから印刷を行う片面印刷開始自動判別機能を備えたことを特徴とするプリンタシステム。
【請求項２】
請求項１に記載のプリンタシステムにおいて、前記片面印刷開始自動判別機能を切替手順により有効あるいは無効にできることを特徴とするプリンタシステム。
【発明の詳細な説明】
【技術分野】
【０００１】
本発明は、連続紙に印刷する２台のプリンタを用紙の搬送方向に縦列配置して印刷を行うタンデム構成のプリンタシステムに関するものである。
【背景技術】
【０００２】
タンデム構成のプリンタシステムにおいて片面印刷を行う場合、一般的に１台目プリンタで印刷する。
【０００３】
連続紙の両面印刷システムでは、片面印刷モードを持つことにより１台目プリンタと２台目プリンタを使い分けて使用することを検討している。
【０００４】
【特許文献１】特開平７−２３７３３６号公報
【特許文献２】特開２００７−８１４３号公報
【特許文献３】特開２００７−２１７５９号公報
【特許文献４】特開平１１−３４８３８４号公報
【発明の開示】
【発明が解決しようとする課題】
【０００５】
タンデム構成のプリンタシステムでは、片面印刷を一般的に１台目プリンタで行うため、用紙装填時や排紙終了後に片面印刷を行う場合、１台目プリンタの印刷開始位置から２台目プリンタの転写終了位置までの用紙が紙送りされるため無駄になる場合がある。
【０００６】
また、片面印刷モードを持つことでプリンタを選択する場合、用紙の状態を認識した上でどちらのプリンタで印刷するかを判断する手段が必要となる欠点がある。
【０００７】
本発明の目的は、従来の欠点を解消し、タンデムプリンタの片面印刷の場合は、印刷状態により１台目プリンタで印刷するか、２台目プリンタで印刷するかを自動的に判断し印刷するプリンタシステムを提供することにある。
【課題を解決するための手段】
【０００８】
前記目的を達成するため、本発明の第１の手段は、連続紙に印刷する２台のプリンタを用紙の搬送方向に縦列配置して印刷を行うタンデム構成のプリンタシステムにおいて、印刷を終了した位置を検知する手段を設け、片面印刷の場合に、印刷した用紙が１台目プリンタの転写終了位置にある場合は１台目プリンタから印刷を行い、印刷した用紙が２台目プリンタの転写終了位置にある場合、または印刷した用紙が転写終了位置に無い場合には、２台目プリンタから印刷を行う片面印刷開始自動判別機能を備えたことを特徴とするものである。
【０００９】
本発明の第２の手段は前記第１の手段において、前記片面印刷開始自動判別機能を切替手順により有効あるいは無効にできることを特徴とするものである。
【発明の効果】
【００１０】
本発明によれば、用紙装填時や排紙終了後に片面印刷を行う場合、２台目プリンタで印刷を行うことによって、１台目プリンタの印刷開始位置から２台目プリンタの転写終了位置までの紙送りによる用紙の無駄を削減できる。
【００１１】
また、両面印刷後や１台目プリンタでの片面印刷後に片面印刷を行う場合、１台目プリンタで印刷を行うことによって直前に印刷した用紙を無駄にせず印刷することができる。
【発明を実施するための最良の形態】
【００１２】
以下、図１および図２に基づき本発明の実施の形態を説明する。
【００１３】
図２により、本発明の１実施例に係るタンデム構成のプリンタシステムの概略を説明する。
【００１４】
１台目プリンタ２００と２台目プリンタ３００は、データケーブル１０２で接続され、タンデム印刷システム１０１を構成している。
【００１５】
印刷データは、ホスト装置１００からデータケーブル１０２を介して１台目プリンタ２００の１台目プリンタコントローラ２０１及び２台目プリンタ３００の２台目プリンタコントローラ３０１で受信する。
【００１６】
１台目プリンタコントローラ２０１は印刷データからイメージデータを生成する。イメージデータは、データケーブル１０２を介して１台目プリンタエンジン２０２に送られ、感光ドラム２０３を介して用紙１０４に印刷される。
【００１７】
２台目プリンタコントローラ３０１は印刷データからイメージデータを生成する。イメージデータは、データケーブル１０２を介して２台目プリンタエンジン３０２に送られ、感光ドラム３０３を介して用紙１０４に印刷される。
【００１８】
両面印刷は、１台目プリンタ２００の１台目プリンタエンジン２０２にて表面が印刷された後、２台目プリンタ３００の２台目プリンタエンジン３０２により表面に対応した裏面が印刷される。この時、次の印刷に備え、表面の印刷が終了した１台目プリンタ転写終了位置２０４で停止し、印刷していない裏面のデータは２台目プリンタコントローラ３０１に蓄えられる。
【００１９】
１台目プリンタ２００を使用した片面印刷は、１台目プリンタ２００の１台目プリンタエンジン２０２にて印刷され、２台目プリンタ３００の２台目プリンタエンジン３０２は紙送りを行う。この時、印刷された最後の用紙は１台目プリンタ転写終了位置２０４で停止する。
【００２０】
２台目プリンタ３００を使用した片面印刷は、１台目プリンタ２００の１台目プリンタエンジン２０２にて紙送りを行い、２台目プリンタ３００の２台目プリンタエンジン３０２にて印刷される。この時、印刷された最後の用紙は２台目プリンタ転写終了位置３０４で停止する。
【００２１】
尚、用紙１０４は、１台目プリンタエンジン２０２と２台目プリンタエンジン３０２の間にある用紙反転装置１０３により表裏が反転される。
【００２２】
次に図１のフローチャートを用いて、本発明の１実施例に係る片面印刷開始自動判別機能を説明する。
【００２３】
片面印刷（４００）の場合に、以下の処理を行う。
【００２４】
片面印刷開始自動判別機能の切替手順により、片面印刷開始自動判別機能（４０１）が有効で、転写終了位置が１台目プリンタ以外（４０２）であれば、２台目プリンタで印刷を行い、１台目プリンタにて紙送りを行う（４０３）。
【００２５】
片面印刷開始自動判別機能の切替手順により、片面印刷開始自動判別機能（４０１）が無効、あるいは転写終了位置が１台目プリンタ以外（４０２）でなければ、１台目プリンタで印刷を行い、２台目プリンタは紙送りを行う（４０４）。
【図面の簡単な説明】
【００２６】
【図１】本発明の一実施例に係る片面印刷開始自動判別機能のフローチャートである。
【図２】本発明の一実施例に係るタンデム構成のプリンタシステムの説明図である。
【符号の説明】
【００２７】
１００はホスト装置、１０１はタンデム印刷システム、１０２はデータケーブル、１０３は用紙反転装置、１０４は用紙、２００は１台目プリンタ、２０１は１台目プリンタコントローラ、２０２は１台目プリンタエンジン、２０３は１台目プリンタドラム、２０４は１台目プリンタ転写終了位置、３００は２台目プリンタ、３０１は２台目プリンタコントローラ、３０２は２台目プリンタエンジン、３０３は２台目プリンタドラム、３０４は２台目プリンタ転写終了位置。
【図１】
2010000674.tif 000003
【図２】
2010000674.tif 000004